(57)【要約】【課題】  組立時の作業性が良好であると共に、組立作業の自動化に対応が可能なフックを提供する。【解決手段】  棒状部３３ａを有する吊下げ体３３を吊り下げるフック２１であって、該フック２１は、一端部に周溝２６が形成され他端部側を湾曲させたフック本体２２と、該フック本体２２の一端部を回動自在に保持し且つ前記吊下げ体３３の棒状部３３ａを回転自在に係合する保持部材２３と、該保持部材２３の外側に装着するカバー部材２４とから成り、前記保持部材２３は、一対の半体部２３ａ、２３ａ同士を合体させて形成すると共に、各半体部２３ａに、前記フック本体２２の一端部を回動自在に保持する内周溝２８を形成し、且つ各半体部２３ａの合体位置の外側に各々凸条部２９、２９を形成し、前記カバー部材２４の内側には、前記凸条部２９、２９と対応する位置に凹溝３８を形成し、該凹溝３８に前記凸条部２９、２９を位置合せして前記カバー部材２４を圧入して前記半体部２３ａ、２３ａ同士の合体を強固に維持する構造としたものである。【選択図】      図１
2005137473.tif 000002
【特許請求の範囲】
【請求項１】
棒状部を有する吊下げ体を吊り下げるフックであって、
該フックは、一端部に周溝が形成され他端部側を湾曲させたフック本体と、該フック本体の一端部を回動自在に保持し且つ前記吊下げ体の棒状部を回転自在に係合する保持部材と、該保持部材の外側に装着するカバー部材とから成り、
前記保持部材は、一対の半体部同士を合体させて形成すると共に、各半体部に、前記フック本体の一端部を回動自在に保持する内周溝を形成し、且つ各半体部の合体位置の外側に各々凸条部を形成し、
前記カバー部材の内側には、前記凸条部と対応する位置に凹溝を形成し、
該凹溝に前記凸条部を位置合せして前記カバー部材を圧入して前記半体部同士の合体を強固に維持することを特徴とするフック。
【請求項２】
前記保持部材の底部はヒンジ部が形成されて、半体部同士がヒンジ結合していることを特徴とする請求項１に記載のフック。
【発明の詳細な説明】
【技術分野】
【０００１】
本発明は、組立式のフックに関するものであり、例えば、物干具等に取り付けて使用されるものであって、物干し竿等に引っ掛けて物干具を吊り下げるためのフックに関するものである。
【背景技術】
【０００２】
従来、この種のフックとしては、図６及び図７に示す構成のものが知られている。このフック１は、フック本体２とアダプター３とナット４とから構成されている。
【０００３】
フック本体２は、ワイヤを湾曲させて湾曲部５を設けると共に、下端部には環状凹凸部６が設けられている。
【０００４】
アダプター３は、合成樹脂材で一体に形成されており、下端部をヒンジ部７で連結した割型状の半筒体３ａ、３ａから成る。また、アダプター３の上部外側にはネジ部８が形成されており、このネジ部８にナット４を螺合させて、アダプター３の閉じ状態を維持するようになっている。
また、半筒体３ａ、３ａの上部内側には、環状溝部９が形成されており、この環状溝部９に、フック本体２の環状凹凸部６が回動自在に嵌合するようになっている。
更に、半筒体３ａ、３ａの下部内側には、横溝１０、１０が形成されており、この一対の横溝１０、１０を閉じた状態でハンガー本体（図示せず）の上部を保持するようになっている。
【０００５】
ナット４は、略筒状に形成されており、内周面に、アダプター３のネジ部８と螺合するネジ部１１が形成されている（特許文献１参照）。
【特許文献１】特開平２００１−３２１２６３号公報（第２頁第７段落、図１乃至図４）。
【発明の開示】
【発明が解決しようとする課題】
【０００６】
この従来例のフック１においては、アダプター３にナット４をネジ込んで、ネジ部８とネジ部１１とを螺合させるために、組立時の作業効率が悪いばかりでなく、組立作業の自動化が難しいというという問題点を有している。
【０００７】
また、アダプター３にナット４をネジ込むときの強度の違いによって、ネジ込み位置が一定しない。従って、ナット４の側面に文字等の表示をした場合には、各フック１ごとに表示位置がバラバラになり、都合が悪いという欠点を有している。
【０００８】
従って、従来例におけるフック１においては、アダプター３にナット４を取り付ける際の作業性を向上させると共に、自動化に対応できるようにすることと、ナット４の取付位置を一定にすることとに解決しなければならない課題を有している。
【課題を解決するための手段】
【０００９】
前記従来例の課題を解決する具体的手段として本発明は、物干具等の吊下げ体を吊り下げるフックであって、棒状部を有する吊下げ体を吊り下げるフックであって、該フックは、一端部に周溝が形成され他端部側を湾曲させたフック本体と、該フック本体の一端部を回動自在に保持し且つ前記吊下げ体の棒状部を回転自在に係合する保持部材と、該保持部材の外側に装着するカバー部材とから成り、前記保持部材は、一対の半体部同士を合体させて形成すると共に、各半体部に、前記フック本体の一端部を回動自在に保持する内周溝を形成し、且つ各半体部の合体位置の外側に各々凸条部を形成し、前記カバー部材の内側には、前記凸条部と対応する位置に凹溝を形成し、該凹溝に前記凸条部を位置合せして前記カバー部材を圧入して前記半体部同士の合体を強固に維持することを特徴とするフックを提供するものである。
【００１０】
また、前記保持部材の底部はヒンジ部が形成されて、半体部同士がヒンジ結合している構成としたものである。
【発明の効果】
【００１１】
本発明に係るフックは、棒状部を有する吊下げ体を吊り下げるフックであって、該フックは、一端部に周溝が形成され他端部側を湾曲させたフック本体と、該フック本体の一端部を回動自在に保持し且つ前記吊下げ体の棒状部を回転自在に係合する保持部材と、該保持部材の外側に装着するカバー部材とから成り、前記保持部材は、一対の半体部同士を合体させて形成すると共に、各半体部に、前記フック本体の一端部を回動自在に保持する内周溝を形成し、且つ各半体部の合体位置の外側に各々凸条部を形成し、前記カバー部材の内側には、前記凸条部と対応する位置に凹溝を形成し、該凹溝に前記凸条部を位置合せして前記カバー部材を圧入して前記半体部同士の合体を強固に維持することによって、フック本体の一端部が保持部材にシッカリと保持されるので、ガタ付きや抜け落ちが生じない。
また、カバー部材は、従来例のようにネジ込み式ではなく、保持部材に嵌め込んで装着するので、組立時の作業性が良好であると共に、組立作業の自動化に対応が可能である。
同様に、カバー部材はネジ込まないので、カバー部材の取付位置が一定となる。従って、カバー部材に文字等の表示をした場合に都合が良いという種々の優れた効果を奏する。
【００１２】
また、保持部材の底部はヒンジ部が形成されて、半体部同士がヒンジ結合していることによって、組立作業が容易となり作業性が向上するという優れた効果を奏する。
【発明を実施するための最良の形態】
【００１３】
フックを組み立てるときの作業性を向上させると共に、自動化に対応できるようにするという目的を、カバー部材を保持部材に嵌め込んで装着することにより実現した。
【実施例１】
【００１４】
次に、本発明の実施の形態について図面を参照しながら説明する。まず、図１において、符号２１はフックを示し、このフック２１は、フック本体２２と、このフック本体２２の端部を回動自在に保持する保持部材２３と、この保持部材２３に装着するカバー部材２４とから構成されている。
【００１５】
フック本体２２は、金属製又は合成樹脂製のワイヤー状部材を湾曲させて湾曲部２５が形成されると共に、一方の端部に複数の周溝２６が刻設されている。
【００１６】
保持部材２３は、プラスチック等の合成樹脂材で形成されると共に、一対の半体部２３ａ、２３ａ同士を合体させて形成するものであり、各半体部２３ａ、２３ａは、同型状を呈する。
半体部２３ａには、フック本体２２の端部を回動自在に保持する半筒部２７が形成されており、この半筒部２７の内周には複数の内周溝２８が形成されている。そして、半体部２３ａ、２３ａ同士を合体させた状態において、内周溝２８とフック本体２２の周溝２６とが歯合するように構成されており、これによりフック本体２２が回動可能となるのである（図１の矢印Ａ参照）。
【００１７】
半筒部２７、２７同士が合体する外側位置には、それぞれ凸条部２９、２９が形成されており、図１における上下両方の凸条部２９、２９同士がピッタリと合体して一条の凸条部が形成されるように構成されている。
【００１８】
半体部２３ａの外側における基部側には、図１に示すように、段部３０が形成されており、この段部３０には平坦部３１が延設されると共に、この平坦部３１の基部には壁部３２が形成されている。
【００１９】
また、半体部２３ａの内側における基部側には、半筒部２７の長手方向と直交する方向に凹溝部３９が形成されている。この凹溝部３９同士を合体させた状態において、その溝の中に、物干具等の吊下げ体３３の棒状部３３ａを回転自在に係合する構造になっている（図１の矢印Ｂ参照）。
【００２０】
なお、保持部材２３の他の実施例を図３に示す。この保持部材３４は、底部にヒンジ部３５を形成して、半体部３４ａ、３４ａ同士をヒンジ結合させている。このように形成することによって、一対の半体部３４ａ、３４ａ同士を合体させて、フック本体２２の端部を保持し、或いは、吊下げ体３３の棒状部３３ａを係合する作業等が容易に行える。つまり、フック２１を組み立てる際の作業性が向上することとなる。
【００２１】
カバー部材２４は、プラスチック等の合成樹脂材で一体に形成されると共に、合体した状態の半筒部２７、２７を略ピッタリと収納できる筒部４０と、この筒部４０の上下両側から延出する挟持片３６、３６と、この挟持片３６、３６の先端部にそれぞれ内側に向かってに形成される突起３７、３７とを有する。
【００２２】
筒部４０の内壁には、合体した半筒部２７、２７を収納したときの凸条部２９、２９と対応する位置に、凹溝３８、３８が形成されている。この凹溝３８に対して凸条部２９、２９を圧入することにより、半筒部２７、２７同士の合体状態をピッタリと強固に維持できる構造になっている。また、このように凹溝３８と凸条部２９、２９とを設けることによって、保持部材２３及びカバー部材２４の部品加工精度が多少劣った場合であっても、合体した半筒部２７、２７同士が離れることがなく、フック本体２２の端部が保持部材２３にシッカリと保持されることとなる。
【００２３】
突起３７は、カバー部材２４を保持部材２３に嵌め込んだときに（図１の矢印Ｃ参照）、段部３０を乗り越えて、平坦部３１を基部側に移動して、さらに壁部３２を乗り越えて該壁部３２の後端に当接する構造になっている。即ち、壁部３２は突起３７の抜け止めの役目を果たすこととなる。
【００２４】
以上説明したように、このような構成のフック２１は、カバー部材２４を保持部材２３に嵌め込んで装着するので（図１の矢印Ｃ参照）、組立時の作業性が良好であるばかりでなく、組立作業の自動化にも対応できる。また、カバー部材２４の外側に文字等の表示をした場合に、従来例のネジ込み式と異なり、表示位置が一定する。
【産業上の利用可能性】
【００２５】
本発明のフックは、物干具のみならず、種々の吊下げ体に装着して吊り下げることが可能である。
【図面の簡単な説明】
【００２６】
【図１】本発明に係るフック２１を、フック本体２２と保持部材２３とカバー部材２４とに分離して説明する斜視図である。
【図２】保持部材２３の一方の半体部２３ａを示す斜視図である。
【図３】保持部材２３の他の実施例を示す側面図である。
【図４】カバー部材２４の斜視図である。
【図５】カバー部材２４の斜視図である。
【図６】従来例に係るフック１の正面図である。
【図７】従来例に係るアダプター３の縦断面図である。
【符号の説明】
【００２７】
１    フック
２    フック本体
３    アダプター
３ａ  半筒体
４    ナット
５    湾曲部
６    環状凹凸部
７    ヒンジ部
８    ネジ部
９    環状溝部
１０  横溝
１１  ネジ部
２１  フック
２２  フック本体
２３  保持部材
２３ａ半体部
２４  カバー部材
２５  湾曲部
２６  周溝
２７  半筒部
２８  内周溝
２９  凸条部
３０  段部
３１  平坦部
３２  壁部
３３  吊下げ体
３３ａ棒状部
３４  保持部材
３４ａ半体部
３５  ヒンジ部
３６  挟持片
３７  突起
３８  凹溝
３９  凹溝部
４０  筒部
【図１】
2005137473.tif 000003
【図２】
2005137473.tif 000004
【図３】
2005137473.tif 000005
【図４】
2005137473.tif 000006
【図５】
2005137473.tif 000007
【図６】
2005137473.tif 000008
【図７】
2005137473.tif 000009